(57)【特許請求の範囲】
【請求項１】
アクセスポイントAP発見方法であって、前記方法は近隣認識ネットワークNANに適用され、前記NANは第1のデバイスと第2のデバイスとを含み、前記方法は、
前記第1のデバイスが、前記NANを用いて前記第2のデバイスに問い合わせメッセージを送信するステップであって、前記問い合わせメッセージはアクセスポイントAPを探索するのに用いられる、前記ステップと、
前記第2のデバイスが前記問い合わせメッセージに応答して送信した応答メッセージを受信するステップであって、前記応答メッセージは前記第2のデバイスが取得した少なくとも1つのAPの記述情報を含む、前記ステップと、
を含み、
前記AP記述情報は、前記第2のデバイスが取得した、前記第2のデバイスと関連付けられたAP記述情報を含み、
前記第2のデバイスが取得した、前記第2のデバイスと関連付けられた前記AP記述情報は、前記第2のデバイスが別のデバイスから受信したAP情報を含み、前記AP情報は前記別のデバイスが取得したAP記述情報である、
アクセスポイントAP発見方法。
【請求項２】
前記AP記述情報は、前記第2のデバイスがAPとして用いられたときに取得されたAP記述情報を含む、請求項1に記載の方法。
【請求項３】
前記第2のデバイスが取得した、前記第2のデバイスと関連付けられた前記AP記述情報は、前記第2のデバイスの近隣APの第1のAP記述情報、または前記第2のデバイスがAPを探索したときに取得した第2のAP記述情報を含む、請求項2に記載の方法。
【請求項４】
前記第1のデバイスが、前記NANを用いて前記第2のデバイスに問い合わせメッセージを送信する前記ステップは、
チャネル時間情報に従って、前記問い合わせメッセージを送信するためのサービス時間枠を決定し、前記決定されたサービス時間枠を用いて前記第2のデバイスに前記問い合わせメッセージを送信するステップであって、前記NAN内の前記第2のデバイスは前記サービス時間枠に対応する指定された時間内に作動状態にある、前記ステップ、
を含む、請求項1から3のいずれか一項に記載の方法。
【請求項５】
前記第2のデバイスが前記問い合わせメッセージに応答して送信した応答メッセージを受信する前記ステップは、
前記問い合わせメッセージを送信するための前記サービス時間枠において前記応答メッセージを受信するステップ、および／または
事前に設定されたチャネル情報および時間情報に対応するチャネル上および時間内において前記応答メッセージを受信するステップ、
を含む、請求項4に記載の方法。
【請求項６】
アクセスポイントAP発見方法であって、前記方法は近隣認識ネットワークNANに適用され、前記NANは第1のデバイスと第2のデバイスとを含み、前記方法は、
前記NANを用いて前記第1のデバイスが、前記第2のデバイスによって送信されたメッセージを取得するステップと、
前記第1のデバイスが、前記第1のデバイスが取得する必要のあるアクセスポイントAP記述情報を前記メッセージが含むかどうか検出し、前記第1のデバイスが取得する必要のある前記アクセスポイントAP記述情報を前記メッセージが含む場合、前記メッセージから前記AP記述情報を取得するステップと、
第1のデバイスが取得する必要のあるAP記述情報を前記メッセージが含まない場合、前記第1のデバイスが、前記NAN内の第3のデバイスに問い合わせメッセージを送信するステップであって、前記問い合わせメッセージはAPを探索するのに用いられる、前記ステップと、
前記第3のデバイスが前記問い合わせメッセージに応答して送信した応答メッセージを受信するステップであって、前記応答メッセージは前記第3のデバイスが取得した少なくとも1つのAPの記述情報を含む、前記ステップと、
を含む、アクセスポイントAP発見方法。
【請求項７】
前記NANを用いて前記第1のデバイスが、前記第2のデバイスによって送信されたメッセージを取得する前記ステップは、
チャネル時間情報に従って、前記第2のデバイスによって送信された前記メッセージを受信するためのサービス時間枠を決定し、前記決定されたサービス時間枠を用いて、前記第2のデバイスによって送信された前記メッセージを取得するステップであって、前記第2のデバイスは前記サービス時間枠に対応する指定された時間内に作動状態にある、前記ステップ、
を含む、請求項6に記載の方法。
【請求項８】
前記NANを用いて前記第1のデバイスが、前記第2のデバイスによって送信されたメッセージを取得する前記ステップは、
前記第1のデバイスが、前記第2のデバイスによってブロードキャストされた第1のメッセージを受信するステップと、
前記第1のデバイスが、前記第2のデバイスが前記NAN内の別のデバイスに応答した第2のメッセージを検知するステップと、
の両方を含む、請求項6または7に記載の方法。
【請求項９】
アクセスポイントAP発見装置であって、前記装置は近隣認識ネットワークNANに適用され、前記NANは第1のデバイスと第2のデバイスとを含み、前記装置は前記第1のデバイスに配置されており、前記装置は、
前記NANを用いて前記第2のデバイスに問い合わせメッセージを送信するように構成された送信モジュールであって、前記問い合わせメッセージはアクセスポイントAPを探索するのに用いられる、前記送信モジュールと、
前記第2のデバイスが前記問い合わせメッセージに応答して送信した応答メッセージを受信するように構成された受信モジュールであって、前記応答メッセージは前記第2のデバイスが取得した少なくとも1つのAPの記述情報を含む、前記受信モジュールと、
を含み、
前記受信モジュールによって受信される前記AP記述情報は、前記第2のデバイスが取得した、前記第2のデバイスと関連付けられたAP記述情報を含み、
前記第2のデバイスが取得し、前記送信モジュールが受信する、前記第2のデバイスと関連付けられた前記AP記述情報は、前記第2のデバイスが別のデバイスから受信したAP情報を含み、前記AP情報は前記別のデバイスが取得したAP記述情報である、
アクセスポイントAP発見装置。
【請求項１０】
アクセスポイントAP発見装置であって、前記装置は近隣認識ネットワークNANに適用され、前記NANは第1のデバイスと第2のデバイスとを含み、前記装置は前記第1のデバイスに配置されており、前記装置は、
前記NANを用いて、前記第2のデバイスによって送信されたメッセージを取得するように構成された、取得モジュールと、
前記第1のデバイスが取得する必要のあるアクセスポイントAP記述情報を前記メッセージが含むかどうか検出し、前記第1のデバイスが取得する必要のある前記アクセスポイントAP記述情報を前記メッセージが含む場合、前記メッセージから前記AP記述情報を取得するように構成された、検出モジュールと、
前記第1のデバイスが取得する必要のある前記AP記述情報を前記メッセージが含まない場合、前記NAN内の第3のデバイスに、APを探索するのに用いられる問い合わせメッセージを送信し、前記第3のデバイスが前記問い合わせメッセージに応答して送信した、前記第3のデバイスが取得した少なくとも1つのAPの記述情報を含む応答メッセージを受信する、ように構成された、問い合わせモジュールと、
を含む、アクセスポイントAP発見装置。
【請求項１１】
電子デバイスであって、
近隣認識ネットワークNANを用いて第2のデバイスに、アクセスポイントAPを探索するのに用いられる問い合わせメッセージを送信し、前記第2のデバイスが前記問い合わせメッセージに応答して送信した、前記第2のデバイスが取得した少なくとも1つのAPの記述情報を含む応答メッセージを受信するように構成された送受信機、を含み、前記電子デバイスと前記第2のデバイスはどちらも前記NAN内にあり、
前記AP記述情報は、前記第2のデバイスが取得した、前記第2のデバイスと関連付けられたAP記述情報を含み、
前記第2のデバイスが取得した、前記第2のデバイスと関連付けられた前記AP記述情報は、前記第2のデバイスが別のデバイスから受信したAP情報を含み、前記AP情報は前記別のデバイスが取得したAP記述情報である、
電子デバイス。
【請求項１２】
前記電子デバイスは、
チャネル時間情報に従って、前記問い合わせメッセージを送信するためのサービス時間枠を決定するように構成されるプロセッサであって、前記NAN内の前記第2のデバイスは前記サービス時間枠に対応する指定された時間内に作動状態にある、前記プロセッサ、
をさらに含み、
前記送受信機が前記NANを用いて前記第2のデバイスに前記問い合わせメッセージを送信することは、具体的には、前記サービス時間枠を用いて前記第2のデバイスに前記問い合わせメッセージを送信すること、を含む、
請求項11に記載の電子デバイス。
【請求項１３】
電子デバイスであって、
近隣認識ネットワークNANを用いて、第1のデバイスによって送信された、アクセスポイントAPを探索するのに用いられる問い合わせメッセージを受信し、前記問い合わせメッセージに応答して前記第1のデバイスに、前記電子デバイスが取得した少なくとも1つのAPの記述情報を含む応答メッセージを送信するように構成された送受信機、を含み、前記電子デバイスと前記第1のデバイスはどちらも前記NAN内にあり、
前記AP記述情報は、前記電子デバイスが取得した、前記電子デバイスと関連付けられたAP記述情報を含み、
前記電子デバイスが取得した、前記電子デバイスと関連付けられた前記AP記述情報は、前記電子デバイスが別のデバイスから受信したAP情報を含み、前記AP情報は前記別のデバイスが取得したAP記述情報である、
電子デバイス。
【請求項１４】
前記電子デバイスは、
チャネル時間情報に従って、前記問い合わせメッセージを受信するためのサービス時間枠を決定するように構成されるプロセッサであって、第2のデバイスは前記サービス時間枠に対応する指定された時間内に作動状態にある、前記プロセッサ、
をさらに含み、
前記送受信機が、前記NANを用いて、前記第1のデバイスによって送信された前記問い合わせメッセージを受信することは、具体的には、前記サービス時間枠を用いて前記問い合わせメッセージを受信すること、を含む、
請求項13に記載の電子デバイス。
【請求項１５】
電子デバイスであって、
近隣認識ネットワークNANを用いて、第2のデバイスによって送信されたメッセージを取得するように構成された、受信機と、
前記電子デバイスが取得する必要のあるアクセスポイントAP記述情報を前記メッセージが含む場合、前記メッセージから前記AP記述情報を取得するように構成される、プロセッサと、を含み、前記電子デバイスと前記第2のデバイスはどちらも前記NAN内にあり、
前記電子デバイスは、
第1のデバイスが取得する必要のある前記AP記述情報を前記メッセージが含まない場合、前記NAN内の第3のデバイスに、APを探索するのに用いられる問い合わせメッセージを送信するように構成された、送信機、
をさらに含み、
前記受信機は、前記第3のデバイスが前記問い合わせメッセージに応答して送信した応答メッセージを受信するようにさらに構成されており、前記応答メッセージは前記第3のデバイスが取得した少なくとも1つのAPの記述情報を含む、
電子デバイス。
【請求項１６】
前記プロセッサは、チャネル時間情報に従って、前記第2のデバイスによって送信された前記メッセージを受信するためのサービス時間枠を決定するようにさらに構成され、前記第2のデバイスは前記サービス時間枠に対応する指定された時間内に作動状態にあり、
前記受信機が、前記NANを用いて、前記第2のデバイスによって送信された前記メッセージを取得することは、具体的には、前記サービス時間枠を用いて、前記第2のデバイスによって送信された前記メッセージを取得すること、を含む、
請求項15に記載の電子デバイス。
【請求項１７】
請求項1から5のうちのいずれか一項に記載の方法を実現するように構成されたコンピュータプログラム。
【請求項１８】
請求項6から8のうちのいずれか一項に記載の方法を実現するように構成されたコンピュータプログラム。
【発明の詳細な説明】
【技術分野】
【０００１】
本発明は、電子情報分野に関し、特に、アクセスポイントAP発見方法およびアクセスポイントAP発見装置に関する。
【背景技術】
【０００２】
ワイヤレスフィデリティ（Wireless-Fidelity、Wi-Fi）技術とは、短距離の無線通信技術である。Wi−Fi技術の基本規格は802．11プロトコルである。一般に用いられるWi-Fi技術の構造には、アクセスポイント（Access Point、AP）と呼ばれる中央ノードがある。アクセスポイントは、ネットワークの存在を告知するために、外部にビーコン（beacon）メッセージを周期的に送信する。別のノードは局（Station、STA）と呼ばれ、STAはAPの存在を、プローブ要求（probe request）を能動的に送信し、次いでプローブ応答（probe response）を受信するか、または受動的にbeaconを受信することによって知る。次いで、局は、APとメッセージを交換することによってAPのネットワークに参加する。
【０００３】
APとの関連付けを確立し、APのネットワークに参加するには、STAはまずAPを発見する必要がある。先行技術でされるAP発見方法は、以下の実施態様を含む。
【０００４】
1．能動的発見方法：
【０００５】
STAは、APを発見するために異なるチャネル上でスキャンを行う。APを発見するために、STAは異なるチャネル上でprobe requestメッセージを送信する必要があり、APの応答メッセージを待つ。AP側では、STAによって送信されたprobe requestを受信した場合、APは、応答メッセージを送信し、応答メッセージは、APがサポートしているサービスパラメータや、APがサポートしている認証の種類といった、APの詳細な記述情報を含むことができる。
【０００６】
APを発見した後で、STAはAPへの接続を確立することができる。
【０００７】
2．受動的発見方法：
【０００８】
STAは、異なるチャネル上で、APによって送信されたbeaconメッセージをリッスンする。APはAPのbeacon周期でbeaconメッセージを送信し、beaconメッセージは、APがサポートしているサービスパラメータ、APがサポートしている認証の種類などを含む、APの詳細な情報を搬送する。したがって、APを検知した後で、STAはAPへの接続を確立することができる。
【０００９】
結論として、先行技術で提供される解決策では、STAデバイスが可能な限り多くのAPを発見しようとする場合、STAデバイスは、異なるチャネル上のAPの情報を取得するように、すべてのチャネル上でスキャンを行う必要がある。例えば、2．4Gでは、STAはAP発見を行うためにチャネル1からチャネル11でスキャンを行う必要がある。STAはチャネル1からチャネル11でprobe requestメッセージを送信し、APはprobe responseメッセージを返し、そのためエア・インターフェース・メッセージを消費する。STAの密度が比較的高い環境では、多数のSTAデバイスがスキャンによってAP発見を行う場合、発見のためのスキャンプロセスでは、過度のエア・インターフェース・リソースを浪費する。加えて、STA側では、異なるチャネル上でのスキャンを必要とするために、STA側の電力消費が増大する。
【発明の概要】
【課題を解決するための手段】
【００１０】
本発明では、アクセスポイントAP発見方法およびアクセスポイントAP発見装置を提供する。本発明で提供する方法および装置は、アクセスポイントAP発見方法が過度のエア・インターフェース・リソースを浪費するという先行技術の問題を解決する。
【００１１】
第1の態様によれば、アクセスポイントAP発見方法が提供され、本方法は近隣認識ネットワークNANに適用され、NANは第1のデバイスと第2のデバイスとを含み、本方法は、
第1のデバイスが、NANを用いて第2のデバイスに問い合わせメッセージを送信するステップであって、問い合わせメッセージはアクセスポイントAPを探索するのに用いられる、ステップと、
第2のデバイスが問い合わせメッセージに応答して送信した応答メッセージを受信するステップであって、応答メッセージは第2のデバイスが取得した少なくとも1つのAPの記述情報を含む、ステップと、
を含む。
【００１２】
第1の態様に関連して、第1の可能な実施態様において、AP記述情報は、第2のデバイスがAPとして用いられたときに取得されたAP記述情報および／または第2のデバイスが取得した、第2のデバイスと関連付けられたAP記述情報、を含む。
【００１３】
第1の態様の第1の可能な実施態様に関連して、第2の可能な実施態様において、第2のデバイスが取得した、第2のデバイスと関連付けられたAPのAP記述情報は、第2のデバイスの近隣APの第1のAP記述情報、または第2のデバイスがAPを探索したときに取得した第2のAP記述情報、または別のデバイスが第2のデバイスで登録したAP情報を第2のデバイスが受信したときに取得した第3のAP記述情報、を含み、第3のAP記述情報は別のデバイスが取得したAP記述情報である。
【００１４】
第1の態様、または第1の態様の第1から第2の可能な実施態様に関連して、第3の可能な実施態様において、第1のデバイスが、NANを用いて第2のデバイスに問い合わせメッセージを送信するステップは、
チャネル時間情報に従って、問い合わせメッセージを送信するためのサービス時間枠を決定し、決定されたサービス時間枠を用いて第2のデバイスに問い合わせメッセージを送信するステップであって、第2のデバイスはサービス時間枠に対応する指定された時間内に作動状態にある、ステップ、
を含む。
【００１５】
第1の態様の第3の可能な実施態様に関連して、第4の可能な実施態様において、第2のデバイスが問い合わせメッセージに応答して送信した応答メッセージを受信するステップは、
問い合わせメッセージを送信するためのサービス時間枠において応答メッセージを受信するステップ、および／または
事前に設定されたチャネル情報および時間情報に対応するチャネル上および時間内において応答メッセージを受信するステップ、
を含む。
【００１６】
第1の態様または第1の態様の第1から第4の可能な実施態様に関連して、第5の可能な実施態様において、問い合わせメッセージは、問い合わせメッセージを受信した第2のデバイスが、応答メッセージに、特性パラメータと一致するAP記述情報を付加するように、特性パラメータを搬送する。
【００１７】
第1の態様または第1の態様の第1から第5の可能な実施態様に関連して、第6の可能な実施態様において、第1のデバイスが、NANを用いて第2のデバイスに問い合わせメッセージを送信するステップの前に、本方法は、
第1のデバイスが、NANによってサポートされているサービスのものであり、NAN内のデバイスによって送信されたサービスサポート情報を受信するステップと、
サービスサポート情報に従って、NANによってサポートされているサービスはアクセスポイントAPを探索するためのサービスを含むと判定された場合、NANに同期するステップと、
を含む。
【００１８】
第2の態様によれば、アクセスポイントAP発見方法が提供され、本方法は近隣認識ネットワークNANに適用され、NANは第1のデバイスと第2のデバイスとを含み、本方法は、
NANを用いて第2のデバイスが、第1のデバイスによって送信された問い合わせメッセージを受信するステップであって、問い合わせメッセージはアクセスポイントAPを探索するのに用いられる、ステップと、
問い合わせメッセージに応答して第2のデバイスが、第1のデバイスに応答メッセージを送信するステップであって、応答メッセージは第2のデバイスが取得した少なくとも1つのAPの記述情報を含む、ステップと、
を含む。
【００１９】
第2の態様に関連して、第1の可能な実施態様において、AP記述情報は、第2のデバイスがAPとして用いられたときに取得されたAP記述情報および／または第2のデバイスが取得した、第2のデバイスと関連付けられたAPのAP記述情報、を含む。
【００２０】
第2の態様の第1の可能な実施態様に関連して、第2の可能な実施態様において、第2のデバイスが取得した、第2のデバイスと関連付けられた各APのAP記述情報は、第2のデバイスの近隣APの第1のAP記述情報、または第2のデバイスがAPを探索したときに取得した第2のAP記述情報、または別のデバイスが第2のデバイスで登録したAP情報を第2のデバイスが受信したときに取得した第3のAP記述情報、を含み、第3のAP記述情報は別のデバイスが取得したAP記述情報である。
【００２１】
第2の態様、または第2の態様の第1から第2の可能な実施態様に関連して、第3の可能な実施態様において、NANを用いて第2のデバイスが、第1のデバイスによって送信された問い合わせメッセージを受信するステップは、
チャネル時間情報に従って、問い合わせメッセージを受信するためのサービス時間枠を決定し、決定されたサービス時間枠を用いて問い合わせメッセージを受信するステップであって、第2のデバイスはサービス時間枠に対応する指定された時間内に作動状態にある、ステップ、
を含む。
【００２２】
第2の態様、または第2の態様の第1から第3の可能な実施態様に関連して、第4の可能な実施態様において、問い合わせメッセージに応答して第2のデバイスが、第1のデバイスに応答メッセージを送信するステップの前に、本方法は、
第2のデバイスが、問い合わせメッセージで搬送された特性パラメータを取得し、応答メッセージに、特性パラメータと一致するAP記述情報を付加するステップ、
をさらに含む。
【００２３】
第2の態様の第4の可能な実施態様に関連して、第5の可能な実施態様において、応答メッセージに、特性パラメータと一致するAP記述情報を付加するステップの前に、本方法は、
特性パラメータに従って第2のデバイスが、特性パラメータと一致し、取得した少なくとも1つのAPの記述情報内のものであるAP記述情報が存在するかどうか判定し、特性パラメータと一致し、取得した少なくとも1つのAPの記述情報内のものであるAP記述情報が存在する場合、応答メッセージに少なくとも1つの一致するAP記述情報を付加するステップ、
をさらに含む。
【００２４】
第3の態様によれば、アクセスポイントAP発見方法が提供され、本方法は近隣認識ネットワークNANに適用され、NANは第1のデバイスと第2のデバイスとを含み、本方法は、
NANを用いて第1のデバイスが、第2のデバイスによって送信されたメッセージを取得するステップと、
第1のデバイスが、第1のデバイスが取得する必要のあるアクセスポイントAP記述情報をメッセージが含むかどうか検出し、第1のデバイスが取得する必要のあるアクセスポイントAP記述情報をメッセージが含む場合、メッセージからAP記述情報を取得するステップと、
を含む。
【００２５】
第3の態様に関連して、第1の可能な実施態様において、
本方法は、
第1のデバイスが取得する必要のあるAP記述情報をメッセージが含まない場合、第1のデバイスが、NAN内の第3のデバイスに問い合わせメッセージを送信するステップであって、問い合わせメッセージはAPを探索するのに用いられる、ステップと、
第3のデバイスが問い合わせメッセージに応答して送信した応答メッセージを受信するステップであって、応答メッセージは第3のデバイスが取得した少なくとも1つのAPの記述情報を含む、ステップと、
をさらに含む。
【００２６】
第3の態様の第1の可能な実施態様に関連して、第2の可能な実施態様において、NANを用いて第1のデバイスが、第2のデバイスによって送信されたメッセージを取得するステップは、
チャネル時間情報に従って、第2のデバイスによって送信されたメッセージを受信するためのサービス時間枠を決定し、決定されたサービス時間枠を用いて、第2のデバイスによって送信されたメッセージを取得するステップであって、第2のデバイスはサービス時間枠に対応する指定された時間内に作動状態にある、ステップ、
を含む。
【００２７】
第3の態様、または第3の態様の第1から第2の可能な実施態様に関連して、第3の可能な実施態様において、NANを用いて第1のデバイスが、第2のデバイスによって送信されたメッセージを取得するステップは、
第1のデバイスが、第2のデバイスによってブロードキャストされた第1のメッセージを受信するステップと、
第1のデバイスが、第2のデバイスがNAN内の別のデバイスに応答した第2のメッセージを検知するステップと、
を含む。
【００２８】
第4の態様によれば、アクセスポイントAP発見装置が提供され、本装置は近隣認識ネットワークNANに適用され、NANは第1のデバイスと第2のデバイスとを含み、本装置は第1のデバイスに配置されており、本装置は、
NANを用いて第2のデバイスに問い合わせメッセージを送信するように構成された送信モジュールであって、問い合わせメッセージはアクセスポイントAPを探索するのに用いられる、送信モジュールと、
第2のデバイスが問い合わせメッセージに応答して送信した応答メッセージを受信するように構成された受信モジュールであって、応答メッセージは第2のデバイスが取得した少なくとも1つのAPの記述情報を含む、受信モジュールと、
を含む。
【００２９】
第4の態様に関連して、第1の可能な実施態様において、受信モジュールによって受信されるAP記述情報は、第2のデバイスがAPとして用いられたときに取得されたAP記述情報および／または第2のデバイスが取得した、第2のデバイスと関連付けられたAP記述情報、を含む。
【００３０】
第4の態様の第1の可能な実施態様に関連して、第2の可能な実施態様において、第2のデバイスが取得し、受信モジュールが受信する、第2のデバイスと関連付けられたAPのAP記述情報は、第2のデバイスの近隣APの第1のAP記述情報、または第2のデバイスがAPを探索したときに取得した第2のAP記述情報、または別のデバイスが第2のデバイスで登録したAP情報を第2のデバイスが受信したときに取得した第3のAP記述情報、を含み、第3のAP記述情報は別のデバイスが取得したAP記述情報である。
【００３１】
第4の態様、または第4の態様の第1から第2の可能な実施態様に関連して、第3の可能な実施態様において、送信モジュールは、チャネル時間情報に従って、問い合わせメッセージを送信するためのサービス時間枠を決定し、決定されたサービス時間枠を用いて第2のデバイスに問い合わせメッセージを送信するように特に構成されており、NAN内の第2のデバイスはサービス時間枠に対応する指定された時間内に作動状態にある。
【００３２】
第4の態様の第3の可能な実施態様に関連して、第4の可能な実施態様において、受信モジュールは、問い合わせメッセージを送信するためのサービス時間枠において応答メッセージを受信し、かつ／または事前に設定されたチャネル情報および時間情報に対応するチャネル上および時間内において応答メッセージを受信するように特に構成されている。
【００３３】
第4の態様または第4の態様の第1から第4の可能な実施態様に関連して、第5の可能な実施態様において、送信モジュールは、問い合わせメッセージを受信した第2のデバイスが、応答メッセージに、特性パラメータと一致するAP記述情報を付加するように、問い合わせメッセージに特性パラメータを付加するようにさらに構成されている。
【００３４】
第4の態様または第4の態様の第1から第5の可能な実施態様に関連して、第6の可能な実施態様において、本装置は、
NANによってサポートされているサービスのものであり、NAN内のデバイスによって送信されたサービスサポート情報を受信し、サービスサポート情報に従って、NANによってサポートされているサービスはアクセスポイントAPを探索するためのサービスを含むと判定された場合、NANに同期するように構成された、同期モジュール、
をさらに含む。
【００３５】
第5の態様によれば、アクセスポイントAP発見装置が提供され、本装置は近隣認識ネットワークNANに適用され、NANは第1のデバイスと第2のデバイスとを含み、本装置は近隣認識ネットワークNAN内の第2のデバイスに配置されており、本装置は、
NANを用いて、第1のデバイスによって送信された問い合わせメッセージを受信するように構成されたメッセージ受信モジュールであって、問い合わせメッセージはアクセスポイントAPを探索するのに用いられる、メッセージ受信モジュールと、
問い合わせメッセージに応答して第1のデバイスに応答メッセージを送信するように構成されたフィードバックモジュールであって、応答メッセージは第2のデバイスが取得した少なくとも1つのAPの記述情報を含む、フィードバックモジュールと、
を含む。
【００３６】
第5の態様に関連して、第1の可能な実施態様において、フィードバックモジュールは、応答メッセージにAP記述情報を付加するように構成されており、第2のデバイスがAPとして用いられたときに取得されたAP記述情報および／または第2のデバイスが取得した、第2のデバイスと関連付けられたAPのAP記述情報が、AP記述情報として用いられる。
【００３７】
第5の態様の第1の可能な実装方法に関連して、第2の可能な実装方法において、フィードバックモジュールは、第2のデバイスが取得した、第2のデバイスと関連付けられた各APのAP記述情報を、応答メッセージに付加するようにさらに構成されており、第2のデバイスの近隣APの第1のAP記述情報、または第2のデバイスがAPを探索したときに取得した第2のAP記述情報、または別のデバイスが第2のデバイスで登録したAP情報を第2のデバイスが受信したときに取得した第3のAP記述情報が、第2のデバイスが取得した、第2のデバイスと関連付けられた各APのAP記述情報として用いられ、第3のAP記述情報は別のデバイスが取得したAP記述情報である。
【００３８】
第5の態様、または第5の態様の第1から第2の可能な実施態様に関連して、第3の可能な実施態様において、メッセージ受信モジュールは、チャネル時間情報に従って、問い合わせメッセージを受信するためのサービス時間枠を決定し、決定されたサービス時間枠を用いて問い合わせメッセージを受信するように特に構成されており、第2のデバイスはサービス時間枠に対応する指定された時間内に作動状態にある。
【００３９】
第5の態様、または第5の態様の第1から第3の可能な実施態様に関連して、第4の可能な実施態様において、本装置は、
問い合わせメッセージで搬送された特性パラメータを取得し、応答メッセージに、特性パラメータと一致するAP記述情報を付加するように構成された、マッチングモジュール、
をさらに含む。
【００４０】
第5の態様の第4の可能な実施態様に関連して、第5の可能な実施態様において、マッチングモジュールは、特性パラメータに従って、特性パラメータと一致し、取得した少なくとも1つのAPの記述情報内のものであるAP記述情報が存在するかどうか判定し、特性パラメータと一致し、取得した少なくとも1つのAPの記述情報内のものであるAP記述情報が存在する場合、少なくとも1つの一致したAP記述情報を応答メッセージに付加するようにさらに構成されている。
【００４１】
第6の態様によれば、アクセスポイントAP発見装置が提供され、本装置は近隣認識ネットワークNANに適用され、NANは第1のデバイスと第2のデバイスとを含み、本装置は第1のデバイスに配置されており、本装置は、
NANを用いて、第2のデバイスによって送信されたメッセージを取得するように構成された、取得モジュールと、
第1のデバイスが取得する必要のあるアクセスポイントAP記述情報をメッセージが含むかどうか検出し、第1のデバイスが取得する必要のあるアクセスポイントAP記述情報をメッセージが含む場合、メッセージからAP記述情報を取得するように構成された、検出モジュールと、
を含む。
【００４２】
第6の態様に関連して、第1の可能な実施態様において、本装置は、
第1のデバイスが取得する必要のあるAP記述情報をメッセージが含まない場合、NAN内の第3のデバイスに、APを探索するのに用いられる問い合わせメッセージを送信し、第3のデバイスが問い合わせメッセージに応答して送信した、第3のデバイスが取得した少なくとも1つのAPの記述情報を含む応答メッセージを受信する、ように構成された、問い合わせモジュール、
をさらに含む。
【００４３】
第6の態様の第1の可能な実施態様に関連して、第2の可能な実施態様において、問い合わせモジュールは、チャネル時間情報に従って、第2のデバイスによって送信されたメッセージを受信するためのサービス時間枠を決定し、決定されたサービス時間枠を用いて、第2のデバイスによって送信されたメッセージを取得するように特に構成されており、第2のデバイスはサービス時間枠に対応する指定された時間内に作動状態にある。
【００４４】
第6の態様、または第6の態様の第1から第2の可能な実施態様に関連して、第3の可能な実施態様において、取得モジュールは、第2のデバイスによってブロードキャストされた第1のメッセージを受信し、かつ／または第2のデバイスがNAN内の別のデバイスに応答した第2のメッセージをリッスンするように特に構成されている。
【００４５】
第7の態様によれば、電子デバイスが提供され、本電子デバイスは、
近隣認識ネットワークNANを用いて第2のデバイスに、アクセスポイントAPを探索するのに用いられる問い合わせメッセージを送信し、第2のデバイスが問い合わせメッセージに応答して送信した、第2のデバイスが取得した少なくとも1つのAPの記述情報を含む応答メッセージを受信するように構成された送受信機、を含み、電子デバイスと第2のデバイスはどちらもNAN内にある。
【００４６】
第7の態様に関連して、第1の可能な実施態様において、本電子デバイスは、
チャネル時間情報に従って、問い合わせメッセージを送信するためのサービス時間枠を決定するように構成されるプロセッサであって、NAN内の第2のデバイスはサービス時間枠に対応する指定された時間内に作動状態にある、プロセッサ、
をさらに含み、
送受信機がNANを用いて第2のデバイスに問い合わせメッセージを送信することは、具体的には、サービス時間枠を用いて第2のデバイスに問い合わせメッセージを送信すること、を含む。
【００４７】
第8の態様によれば、電子デバイスが提供され、本電子デバイスは、
近隣認識ネットワークNANを用いて、第1のデバイスによって送信された、アクセスポイントAPを探索するのに用いられる問い合わせメッセージを受信し、問い合わせメッセージに応答して第1のデバイスに、第2のデバイスが取得した少なくとも1つのAPの記述情報を含む応答メッセージを送信するように構成された送受信機、を含み、電子デバイスと第2のデバイスはどちらもNAN内にある。
【００４８】
第8の態様に関連して、第1の可能な実施態様において、本装置は、
チャネル時間情報に従って、問い合わせメッセージを受信するためのサービス時間枠を決定するように構成されるプロセッサであって、第2のデバイスはサービス時間枠に対応する指定された時間内に作動状態にある、プロセッサ、
をさらに含み、
送受信機が、NANを用いて、第1のデバイスによって送信された問い合わせメッセージを受信することは、具体的には、サービス時間枠を用いて問い合わせメッセージを受信すること、を含む。
【００４９】
第9の態様によれば、電子デバイスが提供され、本電子デバイスは、
近隣認識ネットワークNANを用いて、第2のデバイスによって送信されたメッセージを取得するように構成された、受信機と、
電子デバイスが取得する必要のあるアクセスポイントAP記述情報をメッセージが含む場合、メッセージからAP記述情報を取得するように構成される、プロセッサ、を含み、電子デバイスと第2のデバイスはどちらもNAN内にある。
【００５０】
第9の態様に関連して、第1の可能な実施態様において、本装置は、
第1のデバイスが取得する必要のあるAP記述情報をメッセージが含まない場合、NAN内の第3のデバイスに、APを探索するのに用いられる問い合わせメッセージを送信するように構成された、送信機、
をさらに含み、
受信機は、第3のデバイスが問い合わせメッセージに応答して送信した応答メッセージを受信するようにさらに構成されており、応答メッセージは第3のデバイスが取得した少なくとも1つのAPの記述情報を含む。
【００５１】
第9の態様または第9の態様の第1の可能な実施態様に関連して、第2の可能な実施態様において、プロセッサは、チャネル時間情報に従って、第2のデバイスによって送信されたメッセージを受信するためのサービス時間枠を決定するようにさらに構成され、第2のデバイスはサービス時間枠に対応する指定された時間内に作動状態にあり、
送信機が、NANを用いて、第2のデバイスによって送信されたメッセージを取得することは、具体的には、サービス時間枠を用いて、第2のデバイスによって送信されたメッセージを取得すること、を含む。
【００５２】
前述の技術的解決策の1つまたは2つには、少なくとも以下の技術的効果がある。
【００５３】
本発明の実施形態で提供する解決策では、デバイスがNANに同期された後で、AP発見時に、デバイスは、NANによって含められたデバイス共有情報を用いてAP記述情報を直接取得することができる。異なるチャネル上でスキャンメッセージを送信する必要がなく、そのため、既存の複数のチャネル上でスキャンを行うのに消費される管理メッセージが省かれ、エア・インターフェース・リソースが節約され、AP発見効率が改善される。
【図面の簡単な説明】
【００５４】
【図１】本発明の実施形態1によるアクセスポイントAP発見方法の概略的流れ図である。
【図２】本発明の実施形態2によるアクセスポイントAP発見方法の概略的流れ図である。
【図３】本発明の実施形態3によるアクセスポイントAP発見方法の概略的流れ図である。
【図４】本発明の実施形態4によるアクセスポイントAP発見装置の概略的構造図である。
【図５】本発明の実施形態5によるアクセスポイントAP発見装置の概略的構造図である。
【図６】本発明の実施形態6によるアクセスポイントAP発見装置の概略的構造図である。
【図７】本発明の実施形態7による電子デバイスの概略的構造図である。
【図８】本発明の実施形態8による電子デバイスの概略的構造図である。
【図９】本発明の実施形態9による電子デバイスの概略的構造図である。
【発明を実施するための形態】
【００５５】
本発明の実施形態の目的、技術的解決策、および利点をより明確にするために、以下で、本発明の実施形態の添付の図面に関連して本発明の実施形態の技術的解決策を明確かつ十分に説明する。明らかに、説明される実施形態は本発明の実施形態の全部ではなく一部にすぎない。本発明の実施形態に基づいて当業者により難なく得られる他のすべての実施形態は、本発明の保護範囲内に含まれるものとする。
【００５６】
本発明で提供する解決策の具体的な実施プロセスをより明確かつ詳細に説明するために、規格、すなわち、Wi-Fiアライアンス（WiFi alliance、WFA）によって策定された近隣認識ネットワーク（Neighbor Awareness Network、NAN）機構について簡単に説明する。この規格は具体的には以下を含む。
【００５７】
NAN機構の機能とは、中央ノードが存在しない場合、NAN機構に参加するすべてのデバイスを同期させることと、NAN機構の維持作業、およびNAN機構によって合意された発見時間枠（discovery window、DW）におけるサービス発見作業を行うことである。サービス発見後、デバイスは、サービス発見時に取得した情報に基づいて対応する接続を確立し、データを送信することができる。
【００５８】
NAN機構では、512TU（1TU（time unit）は約1024msである）ごとに固定チャネル6で1つの発見時間枠が設定される。発見時間枠の持続期間は16TUである。NANにおいて、デバイス状態は、anchor master（アンカマスタ、AM）、master（マスタ）、non-master sync（非マスタ同期）、およびnon-master non-sync（非マスタ非同期）を含む。各デバイスは、これら4つの状態の間で絶えず変化する公平な機会を有し、これらの状態のうちの1つの状態にとどまる。
【００５９】
NAN機構では、デバイスはDW時間枠において起動する。master、anchor master、およびnon-master syncの各状態にあるデバイスは、同期ビーコン（synchronization beacon、sync beacon）メッセージを送信する。同期ビーコンメッセージは、クラスタ（cluster）内の他のデバイスによってcluster内のAMと同期するのに用いられる（目的はAMと同じ時間を用いることである）。この同期機構を達成し、維持するために、NAN機構はすべてのデバイスが同等の責任を負うことを可能にする。各デバイスは、4つの状態の間で絶えず変化する機会を有し、これらの状態のうちの1つの状態にとどまる。
【００６０】
NANに参加するすべてのデバイスが、DW時間枠においてサービス発見を行い、サービス発見フレーム（service discovery frame、SDF）メッセージを送信することができる。SDFメッセージは、subscribeメッセージおよびpublishメッセージを含む。デバイスがsubscribeメッセージを送信するとき、デバイスはデバイスがサービスを問い合わせしたいことを示し、デバイスがpublishメッセージを送信するとき、デバイスはデバイスがサービスをサポートしていることを示す。
【００６１】
SDFメッセージのフォーマットを表1に示す。
【００６２】
【表１】
0006502519.tif 000002
【００６３】
表1において、
Headerは、SDFメッセージのヘッダであり、メッセージ全体に含まれるいくつかの情報パラメータを示し、
Categoryは、メッセージのカテゴリであり、メッセージが属する種類を示し、
Public actionは、SDFメッセージのパブリック・アクション・フレームを示し、
OUI（organizationally unique identifier）は、デバイスの識別を示し、
OUI typeは、OUIの種類を示し、
NAN attributeは、NANのいくつかのパラメータを含めるのに用いられる。
【００６４】
サービス発見を完了するために、デバイスはまず同期を行う。デバイスがNANに同期する具体的なプロセスは、以下のとおりである。
【００６５】
1．デバイスは、まず初期設定を行い、デバイスの状態はAMであると仮定し、クラスタ（cluster）clusterを作成し、cluster ID値（デバイス自体のMACアドレスとすることができる）を設定し、時間を512TUの整数倍として設定する。
【００６６】
2．デバイスは、別のclusterのsync beaconメッセージを検知した場合（NAN内のmaster、anchor master、およびnon−master syncの各状態にあるデバイスが、別のclusterが該clusterを検出するように、sync beaconメッセージを送信する）、sync beaconメッセージを送信したデバイスのclusterに参加すべきかどうか判定する。sync beaconメッセージではclusterのグローバル情報が搬送される。デバイスは、ここで、sync beaconメッセージを用いてclusterのグローバル情報を取得することができる。
【００６７】
3．デバイスは、別のclusterに同期した後で、同期したcluster内のAMと同期し、デバイスの時間をAMの時間と同じ時間に設定する。
【００６８】
4．同期後に発見時間枠（DW、discover window）においてサービス発見（問い合わせorブロードキャスト）を行う。
【００６９】
clusterに同期するデバイスは、DW時間枠を用いてサービス発見を行うことができる。デバイスがDW時間枠を用いてsubscribeメッセージを送信する場合、subscribeメッセージはデバイスがサービスを問い合わせしようとしていることを示す。デバイスがpublishメッセージを送信する場合、publishメッセージはデバイスがサービスをサポートしていることを示す。
【００７０】
sync beaconは、DW時間枠内で送信され、またはDW時間枠を越えて送信される。DW時間枠を越えて送信される場合、sync beaconはNAN発見ビーコン（NAN discovery beacon）と呼ばれる。
【００７１】
Sync beaconメッセージのフレームフォーマットを表2に示す。
【００７２】
【表２】
0006502519.tif 000003
【００７３】
表2において、
Frame controlは、フレームヘッダの制御部であり、メッセージ全体に含まれるいくつかの情報パラメータを示し、
Durationは、フレームの持続期間であり、メッセージ全体が占有する時間を示し、
Addr1（すなわち、Address1）は、アドレス1であり、
Addr2（すなわち、Address2）は、アドレス2であり、
Addr3（すなわち、Address3）は、アドレス3であり、
Sequence controlは、シーケンス制御であり、フレームのシーケンス番号を示し、
Time stampは、タイムスタンプであり、フレームが送信される時刻を示し、
Beacon intervalは、ビーコン間隔であり、beaconが送信される周期間隔を示し、
Capabilityは、能力パラメータであり、デバイスがいくつかの能力をサポートしていることを示し、
NAN IEは、NAN elementであり、NANのいくつかのパラメータを含めるのに用いられ、
FCSは、frame check sequenceであり、フレームの検査値を示す。
【００７４】
以下で、前述のNAN機構および本明細書の添付図面に関連して、本発明の実施形態で提供するアクセスポイントAP発見方法についてさらに具体的に説明する。
【００７５】
実施形態1
図1に示すように、本発明の本実施形態では、アクセスポイントAP発見方法を提供し、本方法は、近隣認識ネットワークNANに適用され、NANは第1のデバイスと第2のデバイスとを含む。本実施形態で提供する方法の第1のデバイスは、APを発見するために能動的にスキャンを行い、AP情報を問い合わせするために、NANのDW時間枠においてサービス問い合わせメッセージを送信する。具体的な実施方法は以下を含む。
【００７６】
本発明の本実施形態では、第1のデバイスは、NANを用いてAP発見を実施する。したがって、AP発見を行う前に、第1のデバイスは以下の方法でNANに同期することができ、この方法は具体的には、
第1のデバイスが、NANによってサポートされているサービスのものであり、NAN内のデバイスによって送信されたサービスサポート情報を受信するステップと、
サービスサポート情報に従って、NANによってサポートされているサービスはアクセスポイントAPを探索するためのサービスを含むと判定された場合、NANに同期するステップと、
を含む。
【００７７】
本発明の本実施形態では、第1のデバイスがNANに同期する具体的な実施態様は以下のとおりである。第1のデバイスは、NAN内のCluster（クラスタ）に参加し、NANのクラスタ内のアンカマスタ（Anchor Master、略称AM）に同期する。第1のデバイスは、同期したクラスタにおけるAnchor masterのbeacon送信時間（Anchor Master Beacon Transmission Time、AMBTT）を用いる。NANは、1つまたは複数のclusterを含む。
【００７８】
例えば、第1のデバイスは、NANを用いてAP発見を実施する必要がある。したがって、サービスサポート情報に従って、NANによってサポートされているサービスがAP発見を含むと判定された場合、第1のデバイスは、NANに同期するよう要求する。第1のデバイスがNANに同期された後で、第1のデバイスは、NANが提供するサービス実施方法でAP発見を行い、この方法は以下のステップを含む。
【００７９】
ステップ101：第1のデバイスは、NANを用いて第2のデバイスに問い合わせメッセージを送信し、問い合わせメッセージはアクセスポイントAPを探索するのに用いられる。
【００８０】
本発明の本実施形態では、NAN内の第2のデバイスに問い合わせメッセージを送信する方法は複数あってよく、具体的には、
チャネル時間情報に従って、問い合わせメッセージを送信するためのサービス時間枠を決定し、決定されたサービス時間枠を用いて第2のデバイスに問い合わせメッセージを送信するステップであって、NAN内の第2のデバイスはサービス時間枠に対応する指定された時間内に作動状態にある、ステップ、
であってよい。
【００８１】
本発明の本実施形態では、作動状態とは、デバイスが作動状態においてメッセージを受信または送信することができることを意味する。
【００８２】
サービス時間枠が決定されるときに、チャネル時間情報を取得する方法は、A．事前に設定されたチャネル時間情報に従って予約時間枠を決定すること、および／またはB．NAN内のデバイスと対話してサービス時間枠のチャネル時間情報を取得する（ネットワーク内のデバイスが時間枠を決定するために折衝する）こと、を含む。
【００８３】
例えば、DW（discovery window）時間枠は、NANで定義された時間枠である。NAN内のすべてのデバイス間で同期されている時間枠にわたって、すべてのデバイスは、その時間枠において、SDFメッセージリッスンするために起動状態を保持する。
【００８４】
加えて、本発明の本実施形態では、問い合わせメッセージは、NANにおいて複数のメッセージフォーマットを用いて実施されてよく、これらのフォーマットには、具体的には、SDFメッセージ、beaconメッセージ、actionメッセージ、新しく定義されたメッセージフォーマットなどが含まれる。
【００８５】
具体的な実施プロセスでは、第1のデバイスが、特にsubscribeメッセージを送信するSDFメッセージを送信する場合、NAN attributeが搬送される。このattributeは、SDFメッセージが実施する必要のあるサービスがAPの探索であることを示す、新しく定義されたattributeを用いる。
【００８６】
SDFメッセージのAttribute情報を表3に示す。
【００８７】
【表３】
0006502519.tif 000004
【００８８】
ステップ102：第2のデバイスが問い合わせメッセージに応答して送信した、第2のデバイスが取得した少なくとも1つのAPの記述情報を含む応答メッセージを受信する。
【００８９】
本発明の本実施形態では、AP記述情報は、第2のデバイスがAPとして用いられたときに取得されたAP記述情報および／または第2のデバイスが取得した、第2のデバイスと関連付けられたAP記述情報、を含む。
【００９０】
加えて、第1のデバイスが選択するためのより多くのAPを提供するように、第2のデバイスは、第1のデバイスが知ることのできるすべてのAP記述情報を送信する。したがって、第2のデバイスが取得した、第2のデバイスと関連付けられたAPのAP記述情報は、
第2のデバイスの近隣AP（neighbor AP）の第1のAP記述情報、または第2のデバイスがAPを探索したときに取得した第2のAP記述情報、または別のデバイスが第2のデバイスで登録したAP情報を第2のデバイスが受信したときに取得した第3のAP記述情報、を含み、第3のAP記述情報は別のデバイスが取得したAP記述情報である。
【００９１】
このステップでは、問い合わせメッセージを送信する異なる方法では、応答メッセージを受信する異なる方法が選択されてよく、これには、
問い合わせメッセージを送信するためのサービス時間枠において応答メッセージを受信するステップ、および／または
事前に設定されたチャネル情報および時間情報に対応するチャネル上および時間内において応答メッセージを受信するステップ、
が含まれる。
【００９２】
応答メッセージは、SDFメッセージ内のpublishメッセージであってよく、publishメッセージは、AP記述情報を含むattributeを搬送する。attributeのフォーマットを表4に示す。
【００９３】
【表４】
0006502519.tif 000005
【００９４】
加えて、応答メッセージはブロードキャスト方式で送信されてもよい。したがって、第2のデバイスが第1のデバイスに応答するときに、AP情報が告知され、別のデバイスがpublishメッセージを独立して送信することが防がれ、AP情報を発見するためにAPに問い合わせする別のデバイスの助けとなる。あるデバイスがサービス問い合わせに応答した場合、ネットワーク内の別のデバイスはそれ以上応答メッセージを送信しなくてよい。
【００９５】
さらに、AP発見時に、第1のデバイスは、任意のAPを発見してもよく、いくつかのAPまたは特定のAPを選択的に発見してもよい。したがって、問い合わせメッセージ送信時には、異なるAP発見要件に応じて異なる問い合わせメッセージを送信することができる。具体的な実施態様は以下を含む。
【００９６】
1．いずれかのAPが発見されることになる場合、情報パラメータは搬送されず、APを問い合わせするためのサービスのみが送信される。
【００９７】
2．指定されたパラメータのAPが発見されることになる場合、具体的な実施態様は、
問い合わせメッセージを受信した第2のデバイスが、応答メッセージに、特性パラメータと一致するAP記述情報を付加するように、問い合わせメッセージに特性パラメータを付加すること、
であってよい。
【００９８】
特性パラメータは、FILS Criteria（高速初期リンクセットアップ基準）、Max Delay Limit（最大遅延制限）、Minimum Data Rate（最小データレート）、RCPI（received channel power indicator）Limit（受信チャネル電力インジケータ制限）、OUI（organizationally unique identifier）Response Criteria（識別子応答基準）、Max Channel Time（最大チャネル時間）、Hashed Domain Information（ハッシュ化ドメイン情報）、帯域幅パラメータ、遅延パラメータ、セキュリティパラメータ（セキュリティパラメータは、セキュアなAPデバイスを発見するのに用いられる事前共有情報を搬送することができ、公開鍵を送信するためのhash値、またはSSID（service set ID）hash値、service hash値とすることができる）、負荷（load）パラメータ、伝送レート、信号強度など、のうちの1つまたは複数とすることができ、これらは指定されたAPを問い合わせするのに用いられる。あるいは、特性パラメータは、802．11aiのFILS（Fast Initial Link setup，fast initial link setup）Request Parameters element内の情報であってもよく、指定されたAPを問い合わせするのに用いられる。
【００９９】
特定の実施形態においてサービス問い合わせメッセージを送信するのにSDFメッセージが選択される場合、特性パラメータはAttribute情報で搬送されてもよく、または既存のService Descriptor Attribute（SDA）が変更され、特性パラメータはSDAの記述として搬送される。
【０１００】
本発明の本実施形態で提供する解決策では、デバイスがNANに同期された後で、AP発見時に、デバイスは、NANによって含められたデバイス共有情報を用いてAP記述情報を直接取得することができる。異なるチャネル上でスキャンメッセージを送信する必要がなく、そのため、既存の11チャネル上でスキャンを行うのに消費される管理メッセージが省かれ、エア・インターフェース・リソースが節約され、AP発見効率が改善される。
【０１０１】
本実施形態では、応答メッセージは、応答デバイスが知っているすべてのAP情報を含み、それによって発見されるAPの数が増加し、デバイス発見時間が短縮される。
【０１０２】
加えて、第1のデバイスは、NANに参加する前に、NANがAPを問い合わせするためのサービスをサポートしているかどうかを発見することができる。NANがAPを問い合わせするためのサービスをサポートしている場合、第1のデバイスはNANに参加し、後続のAP問い合わせ動作を実行し、それによって、デバイス発見が加速され、管理メッセージが省かれる。
【０１０３】
実施形態2
図2に示すように、本発明の本実施形態では、別のアクセスポイントAP発見方法をさらに提供し、本方法は近隣認識ネットワークNANに適用され、NANは第1のデバイスと第2のデバイスとを含み、本方法は以下のステップを含む。
【０１０４】
ステップ201：第2のデバイスは、NANを用いて、第1のデバイスによって送信された問い合わせメッセージを受信し、問い合わせメッセージはアクセスポイントAPを探索するのに用いられる。
【０１０５】
本実施形態では、第2のデバイスが、近隣認識ネットワークNANを用いて、第1のデバイスによって送信された問い合わせメッセージを受信する具体的な実施方法は、以下を含む。
【０１０６】
第2デバイスは、チャネル時間情報に従って、問い合わせメッセージを受信するためのサービス時間枠を決定し、決定されたサービス時間枠を用いて問い合わせメッセージを受信し、第2のデバイスはサービス時間枠に対応する指定された時間内に作動状態にある。
【０１０７】
ステップ202：第2のデバイスは、問い合わせメッセージに応答して、第1のデバイスに応答メッセージを送信し、応答メッセージは第2のデバイスが取得した少なくとも1つのAPの記述情報を含む。
【０１０８】
本発明の本実施形態では、AP記述情報は、第2のデバイスがAPとして用いられたときに取得されたAP記述情報および／または第2のデバイスが取得した、第2のデバイスと関連付けられたAPのAP記述情報、を含む。
【０１０９】
加えて、第1のデバイスが選択するためのより多くのAPを提供するように、第2のデバイスは、第1のデバイスが知ることのできるすべてのAP記述情報を送信する。したがって、第2のデバイスが取得した、第2のデバイスと関連付けられたAPのAP記述情報は、
第2のデバイスの近隣APの第1のAP記述情報、または第2のデバイスがAPを探索したときに取得した第2のAP記述情報、または別のデバイスが第2のデバイスで登録したAP情報を第2のデバイスが受信したときに取得した第3のAP記述情報、を含み、第3のAP記述情報は別のデバイスが取得したAP記述情報である。
【０１１０】
さらに、冗長な情報の伝送を減らし、応答情報の利用を向上させるために、第2のデバイスは、第1のデバイスの需要に従って、特定の要件を満たすAP記述情報をフィードバックすることができる。したがって、第2のデバイスが、問い合わせメッセージに応答して、第1のデバイスに応答メッセージを送信する前に、本方法は、以下をさらに含む。
【０１１１】
第2のデバイスは、問い合わせメッセージで搬送された特性パラメータを取得し、応答メッセージに、特性パラメータと一致するAP記述情報を付加する。
【０１１２】
第2のデバイスが、特性パラメータと一致するAP情報を含む搬送する応答メッセージを送信する前に、以下の方法に従って条件を満たすAP記述情報を決定することができ、具体的な実施方法は以下を含む。
【０１１３】
第2のデバイスは、特性パラメータに従って、特性パラメータと一致し、取得した少なくとも1つのAPの記述情報内のものであるAP記述情報が存在するかどうか判定し、特性パラメータと一致し、取得した少なくとも1つのAPの記述情報内のものであるAP記述情報が存在する場合、応答メッセージに少なくとも1つの一致するAP記述情報を付加する。
【０１１４】
本発明の本実施形態で提供する解決策では、デバイスがNANに同期された後で、AP発見時に、デバイスは、NANによって含められたデバイス共有情報を用いてAP記述情報を直接取得することができる。異なるチャネル上でスキャンメッセージを送信する必要がなく、そのため、既存の11チャネル上でスキャンを行うのに消費される管理メッセージが省かれ、エア・インターフェース・リソースが節約され、AP発見効率が改善される。
【０１１５】
加えて、応答メッセージは、応答デバイスが知っているすべてのAP情報を含み、それによって発見されるAPの数が増加し、デバイス発見時間が短縮される。加えて、第2のデバイスは、問い合わせメッセージで搬送された特性パラメータに従って特定のAPをさらに問い合わせすることができる。したがって、第2のデバイスによってフィードバックされる応答メッセージはより関連性があり、そのため、冗長な情報の送信を低減させ、リソースを節約することができる。
【０１１６】
実施形態3
図3に示すように、本発明の本実施形態では、別のアクセスポイントAP発見方法をさらに提供し、本方法は近隣認識ネットワークNANに適用され、NANは第1のデバイスと第2のデバイスとを含み、本方法は以下のステップを含む。
【０１１７】
ステップ301：第1のデバイスは、NANを用いて、第2のデバイスによって送信されたメッセージを取得する。
【０１１８】
本実施形態では、第1のデバイスは、第2のデバイスによって送信されたメッセージを受動的に取得し、受信メッセージを検出することによって、第1のデバイスが必要とするAP記述情報を取得する。
【０１１９】
第1のデバイスは、以下の2つの方法で、NAN内の第2のデバイスによって送信されたメッセージを取得することができる。
【０１２０】
A．第1のデバイスは、第2のデバイスによってブロードキャストされた第1のメッセージを受信する。
【０１２１】
B．第1のデバイスは、第2のデバイスがNAN内の別のデバイスに応答した第2のメッセージをリッスンする。
【０１２２】
前述の2つのメッセージ取得方法に基づき、第1のデバイスは、NANが提供する特定の時間枠を用いて、第1のメッセージおよび第2のメッセージを取得することができる。具体的には、第1のデバイスが、NANを用いて、第2のデバイスによって送信されたメッセージを取得することは、
チャネル時間情報に従って、第2のデバイスによって送信されたメッセージを受信するためのサービス時間枠を決定し、決定されたサービス時間枠を用いて、第2のデバイスによって送信されたメッセージを取得すること、を含み、第2のデバイスはサービス時間枠に対応する指定された時間内に作動状態にある。
【０１２３】
ステップ302：第1のデバイスは、第1のデバイスが取得する必要のあるアクセスポイントAP記述情報をメッセージが含むかどうか検出し、第1のデバイスが取得する必要のあるアクセスポイントAP記述情報をメッセージが含む場合、メッセージからAP記述情報を取得する。
【０１２４】
加えて、第1のデバイスが受動的に取得したメッセージのいずれもアクセス可能なAPを含まない場合、第1のデバイスは、問い合わせメッセージを送信することによって必要なAP記述情報を取得することができる。具体的な方法は、以下を含む（具体的かつ詳細な実施プロセスは、実施形態1で提供される解決策の実施プロセスと同じである）。
【０１２５】
第1のデバイスが取得する必要のあるAP記述情報をメッセージが含まない場合、第1のデバイスは、APを探索するのに用いられる問い合わせメッセージをNAN内の第3のデバイスに送信し、
第3のデバイスが問い合わせメッセージに応答して送信した、第3のデバイスが取得した少なくとも1つのAPの記述情報を含む応答メッセージを受信する。
【０１２６】
本実施形態では、第1のデバイスは、メッセージを受動的に受信することによってAP情報を取得し、そのため、問い合わせメッセージを独立して送信するためのリソースが節約される。
【０１２７】
実施形態4
図4に示すように、本発明の本実施形態では、アクセスポイントAP発見装置400をさらに提供し、本装置は近隣認識ネットワークNANに適用され、NANは第1のデバイスと第2のデバイスとを含み、本装置は第1のデバイスに配置されており、本装置は送信モジュール401と受信モジュール402とを含む。
【０１２８】
送信モジュール401は、NANを用いて第2のデバイスに、問い合わせメッセージを送信するように構成されており、問い合わせメッセージはアクセスポイントAPを探索するのに用いられる。
【０１２９】
送信モジュールは、NANによって提供される時間枠を用いて問い合わせメッセージを送信することができる。したがって、送信モジュール401が問い合わせメッセージを送信することは、具体的には、
チャネル時間情報に従って、問い合わせメッセージを送信するためのサービス時間枠を決定し、決定されたサービス時間枠を用いて第2のデバイスに問い合わせメッセージを送信すること、を含み、NAN内の第2のデバイスはサービス時間枠に対応する指定された時間内に作動状態にある。
【０１３０】
さらに、第2のデバイスがより関連性のあるAP記述情報をフィードバックすることを可能にするために、第1のデバイスは、問い合わせメッセージを送信するときに、必要なAP情報の特性を指定することができる。
【０１３１】
したがって、送信モジュール401は、問い合わせメッセージを受信した第2のデバイスが、応答メッセージに、特性パラメータと一致するAP記述情報を付加するように、問い合わせメッセージに特性パラメータを付加するようにさらに構成されている。
【０１３２】
受信モジュール402は、第2のデバイスが問い合わせメッセージに応答して送信した応答メッセージを受信するように構成されており、応答メッセージは第2のデバイスが取得した少なくとも1つのAPの記述情報を含む。
【０１３３】
送信モジュールが問い合わせメッセージを送信する実施方法に基づき、受信モジュール402が応答メッセージを送信する具体的な実施方法は、問い合わせメッセージを送信するためのサービス時間枠において応答メッセージを受信すること、および／または事前に設定されたチャネル情報および時間情報に対応するチャネル上および時間内において応答メッセージを受信すること、であってよい。
【０１３４】
402受信モジュールによって受信されるAP記述情報は、第2のデバイスがAPとして用いられたときに取得されたAP記述情報および／または第2のデバイスが取得した、第2のデバイスと関連付けられたAP記述情報、を含む。
【０１３５】
さらに、第2のデバイスが取得し、受信モジュール402が受信する、第2のデバイスと関連付けられたAPのAP記述情報は、第2のデバイスの近隣APの第1のAP記述情報、または第2のデバイスがAPを探索したときに取得した第2のAP記述情報、または別のデバイスが第2のデバイスで登録したAP情報を第2のデバイスが受信したときに取得した第3のAP記述情報、を含み、第3のAP記述情報は別のデバイスが取得したAP記述情報である。
【０１３６】
さらに、第1のデバイスは、NANを用いてAP発見を実施する。したがって、本装置は、同期モジュールを用いてNANに同期することができ、これは具体的には以下を含む。
【０１３７】
同期モジュールは、NANによってサポートされているサービスのものであり、NAN内のデバイスによって送信されたサービスサポート情報を受信し、サービスサポート情報に従って、NANによってサポートされているサービスはアクセスポイントAPを探索するためのサービスを含むと判定された場合、NANに同期するように構成されている。
【０１３８】
実施形態5
図5に示すように、本発明の本実施形態では、別のアクセスポイントAP発見装置500を提供し、本装置は近隣認識ネットワークNANに適用され、NANは第1のデバイスと第2のデバイスとを含み、本装置は近隣認識ネットワークNAN内の第2のデバイスに配置されており、本装置は、
NANを用いて、第1のデバイスによって送信された、アクセスポイントAPを探索するのに用いられる問い合わせメッセージを受信するように構成されたメッセージ受信モジュール501であって、
メッセージ受信モジュール501は、チャネル時間情報に従って、問い合わせメッセージを受信するためのサービス時間枠を決定し、決定されたサービス時間枠を用いて問い合わせメッセージを受信するように特に構成されており、第2のデバイスはサービス時間枠に対応する指定された時間内に作動状態にある、メッセージ受信モジュール501と、
問い合わせメッセージに応答して第1のデバイスに、第2のデバイスが取得した少なくとも1つのAPの記述情報を含む応答メッセージを送信するように構成されたフィードバックモジュール502と、
を含む。
【０１３９】
フィードバックモジュール502は、応答メッセージにAP記述情報を付加するように構成されており、第2のデバイスがAPとして用いられたときに取得されたAP記述情報および／または第2のデバイスが取得した、第2のデバイスと関連付けられたAPのAP記述情報が、AP記述情報として用いられる。
【０１４０】
フィードバックモジュール502は、第2のデバイスが取得した、第2のデバイスと関連付けられた各APのAP記述情報を、応答メッセージに付加するようにさらに構成されており、第2のデバイスの近隣APの第1のAP記述情報、または第2のデバイスがAPを探索したときに取得した第2のAP記述情報、または別のデバイスが第2のデバイスで登録したAP情報を第2のデバイスが受信したときに取得した第3のAP記述情報が、第2のデバイスが取得した、第2のデバイスと関連付けられた各APのAP記述情報として用いられ、第3のAP記述情報は別のデバイスが取得したAP記述情報である。
【０１４１】
第1のデバイスが指定されたパラメータのAPを発見することになる場合、本装置は、
問い合わせメッセージで搬送された特性パラメータを取得し、応答メッセージに、特性パラメータと一致するAP記述情報を付加するように構成された、マッチングモジュール、
をさらに含んでいてよい。
【０１４２】
マッチングモジュールは、特性パラメータに従って、特性パラメータと一致し、取得した少なくとも1つのAPの記述情報内のものであるAP記述情報が存在するかどうか判定し、特性パラメータと一致し、取得した少なくとも1つのAPの記述情報内のものであるAP記述情報が存在する場合、少なくとも1つの一致したAP記述情報を応答メッセージに付加するようにさらに構成されている。
【０１４３】
実施形態6
図6に示すように、本発明の本実施形態では、別のアクセスポイントAP発見装置をさらに提供し、本装置は近隣認識ネットワークNANに適用され、NANは第1のデバイスと第2のデバイスとを含み、本装置は第1のデバイスに配置されており、本装置は、
NANを用いて、第2のデバイスによって送信されたメッセージを取得するように構成された取得モジュール601であって、
取得モジュール601は、第2のデバイスによってブロードキャストされた第1のメッセージを受信し、かつ／または第2のデバイスがNAN内の別のデバイスに応答した第2のメッセージをリッスンするように特に構成されている、取得モジュール601と、
第1のデバイスが取得する必要のあるアクセスポイントAP記述情報をメッセージが含むかどうか検出し、第1のデバイスが取得する必要のあるアクセスポイントAP記述情報をメッセージが含む場合、メッセージからAP記述情報を取得するように構成された、検出モジュール602と、
を含む。
【０１４４】
加えて、第1のデバイスが取得する必要のあるアクセスポイントAP記述情報をメッセージが含まない場合、本装置は、能動的問い合わせの方法でAP記述情報を取得することができ、本装置は、
第1のデバイスが取得する必要のあるAP記述情報をメッセージが含まない場合、NAN内の第3のデバイスに、APを探索するのに用いられる問い合わせメッセージを送信し、第3のデバイスが問い合わせメッセージに応答して送信した、第3のデバイスが取得した少なくとも1つのAPの記述情報を含む応答メッセージを受信する、ように構成された、問い合わせモジュール、
をさらに含む。
【０１４５】
問い合わせモジュールは、チャネル時間情報に従って、第2のデバイスによって送信されたメッセージを受信するためのサービス時間枠を決定し、決定されたサービス時間枠を用いて、第2のデバイスによって送信されたメッセージを取得するように特に構成されており、第2のデバイスはサービス時間枠に対応する指定された時間内に作動状態にある。
【０１４６】
実施形態7
図7に示すように、本発明の本実施形態は別の電子デバイスをさらに提供し、本電子デバイスは、
近隣認識ネットワークNANを用いて第2のデバイスに、アクセスポイントAPを探索するのに用いられる問い合わせメッセージを送信し、第2のデバイスが問い合わせメッセージに応答して送信した、第2のデバイスが取得した少なくとも1つのAPの記述情報を含む応答メッセージを受信するように構成された、送受信機701、を含み、電子デバイスと第2のデバイスはどちらもNAN内にある。
【０１４７】
送受信機によって受信されるAP記述情報は、第2のデバイスがAPとして用いられたときに取得されたAP記述情報および／または第2のデバイスが取得した、第2のデバイスと関連付けられたAP記述情報、を含む。第2のデバイスが取得した、第2のデバイスと関連付けられたAPのAP記述情報は、第2のデバイスの近隣APの第1のAP記述情報、または第2のデバイスがAPを探索したときに取得した第2のAP記述情報、または別のデバイスが第2のデバイスで登録したAP情報を第2のデバイスが受信したときに取得した第3のAP記述情報、を含み、第3のAP記述情報は別のデバイスが取得したAP記述情報である。
【０１４８】
本装置は、
チャネル時間情報に従って、問い合わせメッセージを送信するためのサービス時間枠を決定するように構成されるプロセッサ702であって、NAN内の第2のデバイスはサービス時間枠に対応する指定された時間内に作動状態にある、プロセッサ702、
をさらに含み、
送受信機がNANを用いて第2のデバイスに問い合わせメッセージを送信することは、具体的には、サービス時間枠を用いて第2のデバイスに問い合わせメッセージを送信すること、を含む。
【０１４９】
これに対応して、送受信機は、問い合わせメッセージを送信するためのサービス時間枠において応答メッセージを受信し、かつ／または事前に設定されたチャネル情報および時間情報に対応するチャネル上および時間内において応答メッセージを受信するようにさらに構成されている。
【０１５０】
任意選択で、プロセッサは、問い合わせメッセージを受信した第2のデバイスが、応答メッセージに、特性パラメータと一致するAP記述情報を付加するように、問い合わせメッセージに特性パラメータを付加するようにさらに構成される。
【０１５１】
任意選択で、プロセッサは、NANによってサポートされているサービスのものであり、NAN内のデバイスによって送信されたサービスサポート情報を受信し、サービスサポート情報に従って、NANによってサポートされているサービスはアクセスポイントAPを探索するためのサービスを含むと判定された場合、NANに同期するようにさらに構成される。
【０１５２】
実施形態8
図8に示すように、本発明では、電子デバイスをさらに提供し、本電子デバイスは、
近隣認識ネットワークNANを用いて、第1のデバイスによって送信された、アクセスポイントAPを探索するのに用いられる問い合わせメッセージを受信し、問い合わせメッセージに応答して第1のデバイスに、第2のデバイスが取得した少なくとも1つのAPの記述情報を含む応答メッセージを送信するように構成された、送受信機801を含み、電子デバイスと第2のデバイスはどちらもNAN内にある。
【０１５３】
送受信機は、応答メッセージにAP記述情報を付加するようにさらに構成されており、第2のデバイスがAPとして用いられたときに取得されたAP記述情報および／または第2のデバイスが取得した、第2のデバイスと関連付けられたAPのAP記述情報が、AP記述情報として用いられる。
【０１５４】
任意選択で、送受信機は、第2のデバイスが取得した、第2のデバイスと関連付けられた各APのAP記述情報を、応答メッセージに付加するようにさらに構成されており、第2のデバイスの近隣APの第1のAP記述情報、または第2のデバイスがAPを探索したときに取得した第2のAP記述情報、または別のデバイスが第2のデバイスで登録したAP情報を第2のデバイスが受信したときに取得した第3のAP記述情報が、第2のデバイスが取得した、第2のデバイスと関連付けられた各APのAP記述情報として用いられ、第3のAP記述情報は別のデバイスが取得したAP記述情報である。
【０１５５】
任意選択で、本電子デバイスは、
チャネル時間情報に従って、問い合わせメッセージを受信するためのサービス時間枠を決定するように構成されるプロセッサ802であって、第2のデバイスはサービス時間枠に対応する指定された時間内に作動状態にある、プロセッサ802、
をさらに含んでいてもよく、
送受信機が、NANを用いて、第1のデバイスによって送信された問い合わせメッセージを受信することは、具体的には、サービス時間枠を用いて問い合わせメッセージを受信すること、を含む。
【０１５６】
任意選択で、プロセッサは、問い合わせメッセージで搬送された特性パラメータを取得し、応答メッセージに、特性パラメータと一致するAP記述情報を付加するようにさらに構成される。
【０１５７】
任意選択で、プロセッサは、特性パラメータに従って、特性パラメータと一致し、取得した少なくとも1つのAPの記述情報内のものであるAP記述情報が存在するかどうか判定し、特性パラメータと一致し、取得した少なくとも1つのAPの記述情報内のものであるAP記述情報が存在する場合、応答メッセージに少なくとも1つの一致するAP記述情報を付加するようにさらに構成される。
【０１５８】
実施形態9
図9に示すように、本発明の本実施形態では、電子デバイスをさらに提供し、本電子デバイスは、
近隣認識ネットワークNANを用いて、第2のデバイスによって送信されたメッセージを取得するように構成された、受信機901であって、
受信機は、第2のデバイスによってブロードキャストされた第1のメッセージを受信し、かつ／または第2のデバイスがNAN内の別のデバイスに応答した第2のメッセージをリッスンするようにさらに構成されている、受信機901と、
電子デバイスが取得する必要のあるアクセスポイントAP記述情報をメッセージが含む場合、メッセージからAP記述情報を取得するように構成されるプロセッサ902と、を含み、電子デバイスと第2のデバイスはどちらもNAN内にある。
【０１５９】
任意選択で、本電子デバイスは、
第1のデバイスが取得する必要のあるAP記述情報をメッセージが含まない場合、NAN内の第3のデバイスに、APを探索するのに用いられる問い合わせメッセージを送信するように構成された、送信機903、
をさらに含み、
受信機は、第3のデバイスが問い合わせメッセージに応答して送信した応答メッセージを受信するようにさらに構成されており、応答メッセージは第3のデバイスが取得した少なくとも1つのAPの記述情報を含む。
【０１６０】
任意選択で、プロセッサは、チャネル時間情報に従って、第2のデバイスによって送信されたメッセージを受信するためのサービス時間枠を決定するようにさらに構成され、第2のデバイスはサービス時間枠に対応する指定された時間内に作動状態にあり、
送信機が、NANを用いて、第2のデバイスによって送信されたメッセージを取得することは、具体的には、サービス時間枠を用いて、第2のデバイスによって送信されたメッセージを取得すること、を含む。
【０１６１】
本出願の前述の実施形態における1つまたは複数の技術的解決策には、少なくとも以下の技術的効果がある。
【０１６２】
本発明の実施形態で提供する解決策では、デバイスがNANに同期された後で、AP発見時に、デバイスは、NANによって含められたデバイス共有情報を用いてAP記述情報を直接取得することができる。異なるチャネル上でスキャンメッセージを送信する必要がなく、そのため、既存の11チャネル上でスキャンを行うのに消費される管理メッセージが省かれ、エア・インターフェース・リソースが節約され、AP発見効率が改善される。
【０１６３】
各実施形態において、応答メッセージは、応答デバイスが知っているすべてのAP情報を含み、それによって発見されるAPの数が増加し、デバイス発見時間が短縮される。
【０１６４】
加えて、第1のデバイスは、NANに参加する前に、NANがAPを問い合わせするためのサービスをサポートしているかどうかを発見することができる。NANがサポートしている場合、第1のデバイスはNANに参加し、後続のAP問い合わせ動作を実行し、それによって、デバイス発見が加速され、管理メッセージが省かれる。
【０１６５】
本発明に記載されている方法は、実施形態の説明における実施形態だけに限定されない。本発明の技術的解決策に従って当業者が導出する別の実施形態も、本発明の技術革新の範囲に属する。
【０１６６】
当業者が、本発明の趣旨および範囲を逸脱することなく本発明に様々な改変および変形を加えることができることは自明である。本発明は、これらの改変および変形が添付の特許請求の範囲および添付の特許請求の範囲と均等な技術によって定義される保護の範囲内に含まれるという条件で、これらの改変および変形を包含すべきものである。
【符号の説明】
【０１６７】
400  アクセスポイントAP発見装置
401  送信モジュール
402  受信モジュール
500  アクセスポイントAP発見装置
501  メッセージ受信モジュール
502  フィードバックモジュール
601  取得モジュール
602  検出モジュール
701  送受信機
702  プロセッサ
801  送受信機
802  プロセッサ
901  受信機
902  プロセッサ
903  送信機
【図１】
0006502519.tif 000006
【図２】
0006502519.tif 000007
【図３】
0006502519.tif 000008
【図４】
0006502519.tif 000009
【図５】
0006502519.tif 000010
【図６】
0006502519.tif 000011
【図７】
0006502519.tif 000012
【図８】
0006502519.tif 000013
【図９】
0006502519.tif 000014